(57)【特許請求の範囲】
【請求項１】
洗濯機本体に弾性的に支持した水受け槽と、前記水受け槽に内包し回転自在に配設した回転ドラムと、前記回転ドラムを駆動するモータと、前記水受け槽内に給水する給水手段と、前記水受け槽内の給水水位を検知する水位検知手段と、前記モータの動作を制御し洗濯、すすぎ、脱水、乾燥の一連の行程を逐次制御する制御手段とを備え、前記制御手段は、洗濯行程にて、前記給水手段を制御して前記水受け槽内に前記水位検知手段が第１の所定水位を検知するまで給水する給水行程を有し、前記給水行程において、前記水位検知手段により前記第１の所定水位より低い第２の所定水位を検知すると、前記回転ドラムを、洗濯物が前記回転ドラムの内壁に張り付く程度の所定の回転数で所定時間回転させる洗剤溶解行程を行うようにしたドラム式洗濯機。
【請求項２】
回転ドラム内の水温を検知する水温検知手段を備え、前記制御手段は、洗剤溶解行程において、前記水温検知手段により、前記回転ドラム内の水温が第１の所定水温以下であると検知したとき、前記回転ドラムの回転時間を少なくとも前記回転ドラム内の水温が前記第１の所定水温より高いときの回転時間より長くするように構成した請求項１記載のドラム式洗濯機。
【請求項３】
回転ドラム内の水温を検知する水温検知手段を備え、前記制御手段は、洗剤溶解行程において、前記水温検知手段により、前記回転ドラム内の水温が第１の所定水温以下であると検知したとき、前記回転ドラムの回転数を少なくとも前記回転ドラム内の水温が前記第１の所定水温より高いときの回転数より上げるように構成した請求項１記載のドラム式洗濯機。
【請求項４】
回転ドラム内の水温を検知する水温検知手段を備え、前記制御手段は、洗剤溶解行程において、前記水温検知手段により、前記回転ドラム内の水温が第２の所定水温以上であると検知したとき、前記回転ドラムの回転時間を少なくとも前記回転ドラム内の水温が前記第２の所定水温より低いときの回転時間より短くするように構成した請求項１記載のドラム式洗濯機。
【請求項５】
回転ドラム内に投入する洗剤量を検知する洗剤量検知手段を備え、前記制御手段は、洗剤溶解行程において、前記洗剤量検知手段により、洗剤量が第１の所定量以上であると検知したとき、前記回転ドラムの回転時間を少なくとも前記洗剤量が前記第１の所定量より少ないときの回転時間より長くするように構成した請求項１記載のドラム式洗濯機。
【請求項６】
回転ドラム内に投入する洗剤量を検知する洗剤量検知手段を備え、前記制御手段は、洗剤溶解行程において、前記洗剤量検知手段により、洗剤量が第１の所定量以上であると検知したとき、前記回転ドラムの回転数を少なくとも前記洗剤量が前記第１の所定量より少ないときの回転数より上げるように構成した請求項１記載のドラム式洗濯機。
【請求項７】
回転ドラム内に投入する洗剤量を検知する洗剤量検知手段を備え、前記制御手段は、洗剤溶解行程において、前記洗剤量検知手段により、洗剤量が第２の所定量以下であると検知したとき、前記回転ドラムの回転時間を少なくとも前記洗剤量が前記第２の所定量より多いときの回転時間より短くした請求項１記載のドラム式洗濯機。
【請求項８】
回転ドラム内の洗濯物の量を検知する布量検知手段を備え、前記制御手段は、洗剤溶解行程において、前記布量検知手段により、前記回転ドラム内の洗濯物の量が第１の所定量以上であると検知したとき、前記回転ドラムの回転時間を少なくとも前記洗濯物の量が前記第１の所定量より少ないときの回転時間より長くした請求項１記載のドラム式洗濯機。
【請求項９】
回転ドラム内の洗濯物の量を検知する布量検知手段を備え、前記制御手段は、洗剤溶解行程において、前記布量検知手段により、前記回転ドラム内の洗濯物の量が第１の所定量以上であると検知したとき、前記回転ドラムの回転数を少なくとも前記洗濯物の量が前記第１の所定量より少ないときの回転数より上げるようにした請求項１記載のドラム式洗濯機。
【請求項１０】
回転ドラム内の洗濯物の量を検知する布量検知手段を備え、前記制御手段は、洗剤溶解行程において、前記布量検知手段により、前記回転ドラム内の洗濯物の量が第２の所定量以下であると検知したとき、前記回転ドラムの回転時間を少なくとも前記洗濯物の量が前記第２の所定量より多いときの回転時間より短くした請求項１記載のドラム式洗濯機。
【発明の詳細な説明】
【０００１】
【発明の属する技術分野】
本発明は、略水平方向に回転自在に配設した回転ドラム内で洗濯、すすぎ、脱水などの各行程を逐次制御するドラム式洗濯機に関するものである。
【０００２】
【従来の技術】
従来、この種のドラム式洗濯機は図６および図７に示すように構成していた。以下、その構成について説明する。
【０００３】
図６および図７に示すように、回転ドラム１は、外周部に多数の通水孔２を全面に設け、水受け槽３内に回転自在に配設している。回転ドラム１の回転中心に略水平方向に設けた回転軸４の一端と連結したモータ５は、回転ドラム１を回転駆動する。回転ドラム１の内壁面に数個の突起板６を設ける。
【０００４】
水受け槽３は洗濯機本体７よりばね体８で揺動可能に吊り下げられており、水受け槽３の下部に排水ホース９の一端を接続し、ホース９の他端を排水ポンプ１０に接続して水受け槽３内の洗濯水を排水するようにしている。給水弁１１は水受け槽３内に水を給水するものである。水位検知手段１２は水受け槽３内の水位を検知するものである。
【０００５】
制御装置１３は、マイクロコンピュータで構成した制御手段１４を有し、パワースイッチング手段１５を介してモータ５、排水ポンプ９、給水弁１１などの動作を制御し、洗濯、すすぎ、脱水などの一連の行程を逐次制御する。入力設定手段１６は、運転コース等を設定するもので、制御手段１４は入力設定手段１６からの情報を入力して、その情報を基に表示手段１７で表示して使用者に知らせる。記憶手段１８は、制御手段１５により制御するのに必要なデータを記憶している。なお、１９は商用電源、２０は電源スイッチである。
【０００６】
上記構成において洗濯行程の動作を説明すると、回転ドラム１内に洗濯物と洗剤を投入し、電源、スタートボタン（図示せず）を押し、洗濯行程を開始すると、給水弁１１が動作して給水し、水位検知手段１２により所定の水位Ｎ１を検知するとモータ６を駆動する。また、所定の水位Ｎ２（Ｎ１と同等以上）を検知すると給水を停止する。
【０００７】
洗濯行程では、洗濯物に水が含まれるため補給水しながら、回転ドラム１はモータ５によって所定の回転数および所定の時間において正転、停止、反転、停止駆動され、回転ドラム１内の洗濯物は突起板６に引っかかり、持ち上げられて水面上に落下する。洗濯行程が終了すると、排水ポンプ１０が動作して水受け槽３内の洗濯水を排水する。
【０００８】
【発明が解決しようとする課題】
このような従来の構成では、洗濯行程で回転ドラム１内に投入される洗剤の溶解は、回転ドラム１の正転、停止、反転、停止駆動のみで行われていた。
【０００９】
このため、給水量が少ないドラム式洗濯機では、洗剤の溶解や、洗濯物に洗濯水が均一に含まれるのに時間がかかっていた。特に、粉末洗剤を使用するときや、給水温度が低いとき、洗剤量が多いとき、洗濯物が多いときなどは、洗濯時間が長くかかったり、または洗濯性能が劣る要因の一つになっていた。
【００１０】
本発明は上記課題を解決するもので、洗濯行程で洗剤を早く、よく溶かすとともに、洗濯物全体に洗濯水を早く均一に含ませて、洗浄性能を向上するとともに、洗濯時間を短縮することを目的としている。
【００１１】
【課題を解決するための手段】
本発明は上記目的を達成するために、洗濯機本体に弾性的に支持した水受け槽に回転ドラムを内包して回転自在に配設し、回転ドラムをモータにより駆動し、水受け槽内に給水手段により給水するとともに、水位検知手段により水受け槽内の給水水位を検知し、制御手段によりモータの動作を制御して洗濯、すすぎ、脱水、乾燥の一連の行程を逐次制御するよう構成し、制御手段は、洗濯行程にて給水手段を制御して水受け槽内に水位検知手段が第１の所定水位を検知するまで給水する給水行程を有し、給水行程において、水位検知手段により第１の所定水位より低い第２の所定水位を検知すると、回転ドラムを洗濯物が回転ドラムの内壁に張り付く程度の所定の回転数で所定時間回転させる洗剤溶解行程を行うようにしたものである。
【００１２】
これにより、洗濯行程で洗剤を早く、よく溶かすことができるとともに、洗濯物全体に洗濯水を早く均一に含ませることができ、洗浄性能を向上できるとともに、洗濯時間を短縮することができる。
【００１３】
【発明の実施の形態】
本発明の請求項１に記載の発明は、洗濯機本体に弾性的に支持した水受け槽と、前記水受け槽に内包し回転自在に配設した回転ドラムと、前記回転ドラムを駆動するモータと、前記水受け槽内に給水する給水手段と、前記水受け槽内の給水水位を検知する水位検知手段と、前記モータの動作を制御し洗濯、すすぎ、脱水、乾燥の一連の行程を逐次制御する制御手段とを備え、前記制御手段は、洗濯行程にて、前記給水手段を制御して前記水受け槽内に前記水位検知手段が第１の所定水位を検知するまで給水する給水行程を有し、前記給水行程において、前記水位検知手段により前記第１の所定水位より低い第２の所定水位を検知すると、前記回転ドラムを、洗濯物が前記回転ドラムの内壁に張り付く程度の所定の回転数で所定時間回転させる洗剤溶解行程を行うようにしたものであり、洗濯行程にて洗濯物と洗剤を回転ドラム内に投入し、第１の所定水位まで給水する給水行程において、第１の所定水位より低い第２の所定水位を検知すると、回転ドラムを洗濯物が回転ドラムの内壁に張り付く程度の所定の回転数で所定時間回転させる洗剤溶解行程を行うので、洗剤液が遠心力により回転ドラムと水受け槽内で対流を起こし撹拌され、洗剤を早く溶解することができる。加えて、洗濯液が洗濯物全体に回るため、洗濯水を早く均一に含ませることができ、洗浄性能を向上できるとともに、洗濯時間を短縮することができる。
【００１４】
請求項２に記載の発明は、上記請求項１に記載の発明において、回転ドラム内の水温を検知する水温検知手段を備え、前記制御手段は、洗剤溶解行程において、前記水温検知手段により、前記回転ドラム内の水温が第１の所定水温以下であると検知したとき、前記回転ドラムの回転時間を少なくとも前記回転ドラム内の水温が前記第１の所定水温より高いときの回転時間より長くするように構成したものであり、洗濯行程にて洗濯物と洗剤を回転ドラム内に投入し、第１の所定水位まで給水する給水行程において、第１の所定水位より低い第２の所定水位を検知すると、回転ドラムを洗濯物が回転ドラムの内壁に張り付く程度の所定の回転数で所定時間回転させる洗剤溶解行程を行う際に、回転ドラム内の水温が低く洗剤が溶解しにくいときには、回転ドラムの回転時間を回転ドラム内の水温が高いときの回転時間より長くするため、洗剤液が遠心力により回転ドラムと水受け槽内で対流を起こし撹拌される時間も長くなり、洗剤を十分に溶解することができ、洗浄性能を向上することができる。
【００１５】
請求項３に記載の発明は、上記請求項１に記載の発明において、回転ドラム内の水温を検知する水温検知手段を備え、前記制御手段は、洗剤溶解行程において、前記水温検知手段により、前記回転ドラム内の水温が第１の所定水温以下であると検知したとき、前記回転ドラムの回転数を少なくとも前記回転ドラム内の水温が前記第１の所定水温より高いときの回転数より上げるように構成したものであり、洗濯行程にて洗濯物と洗剤を回転ドラム内に投入し、第１の所定水位まで給水する給水行程において、第１の所定水位より低い第２の所定水位を検知すると、回転ドラムを洗濯物が回転ドラムの内壁に張り付く程度の所定の回転数で所定時間回転させる洗剤溶解行程を行う際に、回転ドラム内の水温が低く洗剤が溶解しにくいときには、回転ドラムの回転数を水温が高いときの回転数より上げるため、洗剤液がより強い遠心力により回転ドラムと水受け槽内で対流を起こし、撹拌も強くなり、よりよく洗剤を溶解することができ、洗浄性能を向上できるとともに、洗濯時間を短縮することができる。
【００１６】
請求項４に記載の発明は、上記請求項１に記載の発明において、回転ドラム内の水温を検知する水温検知手段を備え、前記制御手段は、洗剤溶解行程において、前記水温検知手段により、前記回転ドラム内の水温が第２の所定水温以上であると検知したとき、前記回転ドラムの回転時間を少なくとも前記回転ドラム内の水温が前記第２の所定水温より低いときの回転時間より短くするように構成したものであり、洗濯行程にて洗濯物と洗剤を回転ドラム内に投入し、第１の所定水位まで給水する給水行程において、第１の所定水位より低い第２の所定水位を検知すると、回転ドラムを洗濯物が回転ドラムの内壁に張り付く程度の所定の回転数で所定時間回転させる洗剤溶解行程を行う際に、回転ドラム内の水温が高く洗剤が溶解しやすいときには、回転ドラムの回転時間を水温が低いときの回転時間より短くするため、洗剤液が遠心力により回転ドラムと水受け槽内に対流が起こり撹拌する時間も短くなり、洗剤の泡立ち過ぎを防ぐとともに、必要以上の回転時間を省くことで洗濯の時間短縮ができる。
【００１７】
請求項５に記載の発明は、上記請求項１に記載の発明において、回転ドラム内に投入する洗剤量を検知する洗剤量検知手段を備え、前記制御手段は、洗剤溶解行程において、前記洗剤量検知手段により、洗剤量が第１の所定量以上であると検知したとき、前記回転ドラムの回転時間を少なくとも前記洗剤量が前記第１の所定量より少ないときの回転時間より長くするように構成したものであり、洗濯行程にて洗濯物と洗剤を回転ドラム内に投入し、第１の所定水位まで給水する給水行程において、第１の所定水位より低い第２の所定水位を検知すると、回転ドラムを洗濯物が回転ドラムの内壁に張り付く程度の所定の回転数で所定時間回転させる洗剤溶解行程を行う際に、回転ドラム内に投入された洗剤量が多く洗剤が溶解しにくいときには、回転ドラムの回転時間を洗剤量が少ないときの回転時間より長くするため、洗剤液が遠心力により回転ドラムと水受け槽内で対流を起こし撹拌される時間も長くなり、よりよく洗剤を溶解することができ、洗浄性能を向上できるとともに、洗濯時間を短縮することができる。
【００１８】
請求項６に記載の発明は、上記請求項１に記載の発明において、回転ドラム内に投入する洗剤量を検知する洗剤量検知手段を備え、前記制御手段は、洗剤溶解行程において、前記洗剤量検知手段により、洗剤量が第１の所定量以上であると検知したとき、前記回転ドラムの回転数を少なくとも前記洗剤量が前記第１の所定量より少ないときの回転数より上げるように構成したものであり、洗濯行程にて洗濯物と洗剤を回転ドラム内に投入し、第１の所定水位まで給水する給水行程において、第１の所定水位より低い第２の所定水位を検知すると、回転ドラムを洗濯物が回転ドラムの内壁に張り付く程度の所定の回転数で所定時間回転させる洗剤溶解行程を行う際に、回転ドラム内に投入された洗剤量が多く洗剤が溶解しにくいときには、回転ドラムの回転数を洗剤量が少ないときの回転数より上げるため、洗剤液がより強い遠心力により回転ドラムと水受け槽内で対流を起こし、撹拌も強くなるので、よりよく洗剤を溶解することができ、洗浄性能を向上できるとともに、洗濯時間を短縮することができる。
【００１９】
請求項７に記載の発明は、上記請求項１に記載の発明において、回転ドラム内に投入する洗剤量を検知する洗剤量検知手段を備え、前記制御手段は、洗剤溶解行程において、前記洗剤量検知手段により、洗剤量が第２の所定量以下であると検知したとき、前記回転ドラムの回転時間を少なくとも前記洗剤量が前記第２の所定量より多いときの回転時間より短くしたものであり、洗濯行程にて洗濯物と洗剤を回転ドラム内に投入し、第１の所定水位まで給水する給水行程において、第１の所定水位より低い第２の所定水位を検知すると、回転ドラムを洗濯物が回転ドラムの内壁に張り付く程度の所定の回転数で所定時間回転させる洗剤溶解行程を行う際に、回転ドラム内に投入された洗剤量が少なく洗剤が溶解しやすいときには、回転ドラムの回転時間を洗剤量が多いときの回転時間より短くするため、必要以上の回転時間を省くことで、洗濯の時間短縮ができる。
【００２０】
請求項８に記載の発明は、上記請求項１に記載の発明において、回転ドラム内の洗濯物の量を検知する布量検知手段を備え、前記制御手段は、洗剤溶解行程において、前記布量検知手段により、前記回転ドラム内の洗濯物の量が第１の所定量以上であると検知したとき、前記回転ドラムの回転時間を少なくとも前記洗濯物の量が前記第１の所定量より少ないときの回転時間より長くしたものであり、洗濯行程にて洗濯物と洗剤を回転ドラム内に投入し、第１の所定水位まで給水する給水行程において、第１の所定水位より低い第２の所定水位を検知すると、回転ドラムを洗濯物が回転ドラムの内壁に張り付く程度の所定の回転数で所定時間回転させる洗剤溶解行程を行う際に、回転ドラム内に投入された洗濯物の量が多く均一に洗濯水が含まれにくいときには、回転ドラムの回転時間を洗濯物の量が少ないときの回転時間より長くするため、洗剤液が遠心力により回転ドラムと水受け槽内で対流を起こし撹拌される時間も長くなり、より均一に洗剤液が洗濯物に含まれることができ、洗浄性能を向上することができる。
【００２１】
請求項９に記載の発明は、上記請求項１に記載の発明において、回転ドラム内の洗濯物の量を検知する布量検知手段を備え、前記制御手段は、洗剤溶解行程において、前記布量検知手段により、前記回転ドラム内の洗濯物の量が第１の所定量以上であると検知したとき、前記回転ドラムの回転数を少なくとも前記洗濯物の量が前記第１の所定量より少ないときの回転数より上げるようにしたものであり、洗濯行程にて洗濯物と洗剤を回転ドラム内に投入し、第１の所定水位まで給水する給水行程において、第１の所定水位より低い第２の所定水位を検知すると、回転ドラムを洗濯物が回転ドラムの内壁に張り付く程度の所定の回転数で所定時間回転させる洗剤溶解行程を行う際に、回転ドラム内に投入された洗濯物の量が多く均一に洗濯水が含まれにくいときには、回転ドラムの回転数を洗濯物の量が少ないときの回転数より上げるため、洗剤液がより強い遠心力により回転ドラムと水受け槽内で対流を起こし、撹拌も強くなるので、より均一に早く洗濯物に洗濯水を含ませることができ、洗浄性能を向上できるとともに、洗濯時間を短縮することができる。
【００２２】
請求項１０に記載の発明は、上記請求項１に記載の発明において、回転ドラム内の洗濯物の量を検知する布量検知手段を備え、前記制御手段は、洗剤溶解行程において、前記布量検知手段により、前記回転ドラム内の洗濯物の量が第２の所定量以下であると検知したとき、前記回転ドラムの回転時間を少なくとも前記洗濯物の量が前記第２の所定量より多いときの回転時間より短くしたものであり、洗濯行程にて洗濯物と洗剤を回転ドラム内に投入し、第１の所定水位まで給水する給水行程において、第１の所定水位より低い第２の所定水位を検知すると、回転ドラムを洗濯物が回転ドラムの内壁に張り付く程度の所定の回転数で所定時間回転させる洗剤溶解行程を行う際に、回転ドラム内に投入された洗濯物の量が少なく均一に洗濯水が含まれやすいときには、回転ドラムの回転時間を洗濯物の量が多いときの回転時間より短くさせるため、洗剤液が遠心力により回転ドラムと水受け槽内で対流を起こし撹拌される時間も短くなり、必要以上の回転時間を省くことで、洗濯の時間短縮ができる。
【００２３】
【実施例】
以下、本発明の実施例について、図面を参照しながら説明する。なお、従来例と同じ構成のものは同一符号を付して説明を省略する。
【００２４】
（実施例１）
図１および図２に示すように、制御装置２１は、マイクロコンピュータで構成した制御手段２２を有し、パワースイッチング手段１５を介してモータ５、排水ポンプ９、給水弁（給水手段）１１などの動作を制御し、洗濯、すすぎ、脱水などの一連の行程を逐次制御する。
【００２５】
ここで、制御手段２２は、洗濯行程にて水受け槽３内に給水し、水位検知手段１２により所定水位を検知したとき、回転ドラム１を洗濯物が回転ドラム１の内壁に張り付く程度の回転数で所定時間回転するようにしている。
【００２６】
上記構成において洗濯行程の動作を説明する。回転ドラム１内に洗濯物と洗剤を投入し、洗濯行程を開始すると、給水弁１１が動作して給水し、洗剤投入ケース（図示せず）を通り、洗剤とともに水受け槽３にはいる。水位検知手段１２により所定の水位Ｎ１を検知するとモータ５を駆動する。所定の水位Ｎ２（Ｎ１と同等以上）を検知すると給水を停止する。このとき、所定の水位Ｎ３（Ｎ２と同等以下）を検知すると、回転ドラム１を洗濯物が回転ドラム１の内壁に張り付く程度の回転数Ｓ１（例えば２００ｒ／ｍｉｎ）で所定の回転時間Ｔ１（例えば２分間）回転させる洗剤溶解行程を行う。
【００２７】
その後、洗濯物に水が含まれるため補給水しながら、回転ドラム１はモータ６によって所定の回転数および所定の時間において正転、停止、反転、停止駆動され、回転ドラム１内の洗濯物は突起板６に引っかかり、持ち上げられて水面上に落下する。洗濯行程が終了すると、排水ポンプ１０が動作して水受け槽３内の洗濯水を排水する。
【００２８】
上記洗剤溶解行程により、洗剤液が遠心力により回転ドラム１と水受け槽３内で対流を起こし撹拌され、洗剤を早く溶解することができる。加えて、洗濯液が洗濯物全体に回るため、洗濯水を早く均一に含ませることができ、洗浄性能を向上することができるとともに、洗濯時間を短縮することができる。
【００２９】
（実施例２）
図３に示すように、水温検知手段２３は、回転ドラム１内の水温を検知するもので、その出力を制御装置２４に設けた制御手段２５に入力している。制御手段２５は、水温検知手段２３により、回転ドラム１内の水温を所定水温以下と検知したとき、洗剤溶解行程における回転ドラム１の回転時間を少なくとも所定水温の回転時間より長くするように構成している。他の構成は上記実施例１と同じであり、同一符号を付して説明を省略する。
【００３０】
上記構成において動作を説明する。制御手段２５は、洗剤溶解行程において、水温検知手段２３により回転ドラム１内の水温を所定水温Ａ１（例えば１０℃）以下と検知した場合、回転ドラム１の回転時間を所定の回転時間Ｔ１（２分間）より長く（例えば３分間）するように制御する。
【００３１】
これにより、回転ドラム１内の水温が低く洗剤が溶解しにくいときには、回転ドラム１の回転時間を所定の回転時間Ｔ１より長くすることで、洗剤液が遠心力により回転ドラム１と水受け槽３内で対流を起こし撹拌される時間も長くなり、洗剤を十分に溶解することができ、洗浄性能を向上することができる。
【００３２】
（実施例３）
図３に示す制御手段２５は、水温検知手段２３により、回転ドラム１内の水温を所定水温以下と検知したとき、洗剤溶解行程における回転ドラム１の回転数を少なくとも所定水温の回転数より上げるように構成している。他の構成は上記実施例２と同じである。
【００３３】
上記構成において動作を説明する。制御手段２５は、洗剤溶解行程において、水温検知手段２３が回転ドラム１内の水温を所定水温Ａ１（例えば１０℃）以下と検知した場合、回転ドラム１の回転数を所定の回転数Ｓ１（２００ｒ／ｍｉｎ）より上げる（例えば３００ｒ／ｍｉｎ）ように制御する。
【００３４】
これにより、回転ドラム１内の水温が低く洗剤が溶解しにくいときには、回転ドラム１の回転数を所定の回転数Ｓ１より上げることで、洗剤液がより強い遠心力により回転ドラム１と水受け槽３内で対流を起こし、撹拌も強くなり、よりよく洗剤を溶解することができ、洗浄性能を向上することができるとともに、洗濯時間を短縮することができる。
【００３５】
（実施例４）
図３に示す制御手段２５は、水温検知手段２３により、回転ドラム１内の水温を所定水温以上と検知したとき、洗剤溶解行程における回転ドラム１の回転時間を少なくとも所定水温の回転時間より短くするように構成している。他の構成は上記実施例２と同じである。
【００３６】
上記構成において動作を説明する。制御手段２５は、洗剤溶解行程において、水温検知手段２３が回転ドラム１内の水温を所定水温Ａ２（例えば２５℃）以上と検知した場合、回転ドラム１の回転時間を所定の回転時間Ｔ１（２分間）より短く（例えば１分）するように制御する。
【００３７】
これにより、回転ドラム１内の水温が高く洗剤が溶解しやすいときには、回転ドラム１の回転時間を所定の回転時間Ｔ１より短くすることで、洗剤液が遠心力により回転ドラム１と水受け槽３内に対流が起こり撹拌する時間も短くなり、洗剤の泡立ち過ぎを防ぐとともに、必要以上の回転時間を省くことで洗濯の時間短縮ができる。
【００３８】
（実施例５）
図４に示すように、洗剤量検知手段２６は、回転ドラム１内に投入する洗剤量を検知するもので、その出力を制御装置２７に設けた制御手段２８に入力している。制御手段２８は、洗剤量検知手段２６により、洗剤量を所定量以上と検知したとき、洗剤溶解行程における回転ドラム１の回転時間を少なくとも所定量の回転時間より長くするように構成している。他の構成は上記実施例１と同じであり、同一符号を付して説明を省略する。
【００３９】
上記構成において動作を説明する。制御手段２８は、洗剤溶解行程において、洗剤量検知手段２６により回転ドラム１内の洗剤量を所定洗剤量Ｂ１（例えば４０ｇ）以上と検知した場合、回転ドラム１の回転時間を所定の回転時間Ｔ１（２分間）より長く（例えば３分）するように制御する。
【００４０】
これにより、回転ドラム１内に投入された洗剤量が多く洗剤が溶解しにくいときには、回転ドラム１の回転時間を所定の回転時間Ｔ１より長くすることで、洗剤液が遠心力により回転ドラム１と水受け槽３内で対流を起こし撹拌される時間も長くなり、よりよく洗剤を溶解することができ、洗浄性能を向上することができるとともに、洗濯時間を短縮することができる。
【００４１】
（実施例６）
図４に示す制御手段２８は、洗剤量検知手段２６により、洗剤量を所定量以上と検知したとき、洗剤溶解行程における回転ドラム１の回転数を少なくとも所定量の回転数より上げるように構成している。他の構成は上記実施例５と同じである。
【００４２】
上記構成において動作を説明する。制御手段２８は、洗剤溶解行程において、洗剤量検知手段２６により回転ドラム１内の洗剤量を所定洗剤量Ｂ１（例えば４０ｇ）以上と検知した場合、回転ドラム１の回転数を所定の回転数Ｓ１（２００ｒ／ｍｉｎ）より上げる（例えば３００ｒ／ｍｉｎ）ように制御する。
【００４３】
これにより、回転ドラム１内に投入された洗剤量が多く洗剤が溶解しにくいときには、回転ドラム１の回転数を所定の回転数Ｓ１より上げることで、洗剤液がより強い遠心力により回転ドラム１と水受け槽３内で対流を起こし、撹拌も強くなるので、よりよく洗剤を溶解することができ、洗浄性能を向上することができるとともに、洗濯時間を短縮することができる。
【００４４】
（実施例７）
図４に示す制御手段２８は、洗剤量検知手段２６により、洗剤量を所定量以下と検知したとき、洗剤溶解行程における回転ドラム１の回転時間を少なくとも所定量の回転時間より短くしている。他の構成は上記実施例５と同じである。
【００４５】
上記構成において動作を説明する。制御手段２８は、洗剤溶解行程において、洗剤量検知手段２６により回転ドラム１内の洗剤量を所定洗剤量Ｂ２（例えば２０ｇ）以下と検知した場合、回転ドラム１の回転時間を所定の回転時間Ｔ１（２分間）より短く（例えば１分）するように制御する。
【００４６】
これにより、回転ドラム１内に投入された洗剤量が少なく洗剤が溶解しやすいときには、回転ドラム１の回転時間を所定の回転時間Ｔ１より短くすることで、必要以上の回転時間を省いて、洗濯の時間短縮ができる。
【００４７】
（実施例８）
図５に示すように、布量検知手段２９は、回転ドラム１内の洗濯物の量を検知するもので、その出力を制御装置３０に設けた制御手段３１に入力している。制御手段３１は、布量検知手段２９により、回転ドラム１内の洗濯物の量を所定量以上と検知したとき、洗剤溶解行程における回転ドラム１の回転時間を少なくとも所定量の回転時間より長くするように構成している。他の構成は上記実施例１と同じであり、同一符号を付して説明を省略する。
【００４８】
上記構成において動作を説明する。制御手段３１は、洗剤溶解行程において、布量検知手段２９により回転ドラム１内の洗濯物の量を所定量Ｃ１（例えば６ｋｇ）以上と検知した場合、回転ドラム１の回転時間を所定の回転時間Ｔ１（２分間）より長く（例えば３分）するように制御する。
【００４９】
これにより、回転ドラム１内に投入された洗濯物の量が多く均一に洗濯水が含まれにくいときには、回転ドラム１の回転時間を所定の回転時間Ｔ１より長くすることで、洗剤液が遠心力により回転ドラム１と水受け槽３内で対流を起こし撹拌される時間も長くなり、より均一に洗剤液が洗濯物に含まれることができ、洗浄性能を向上することができる。
【００５０】
（実施例９）
図５に示す制御手段３１は、布量検知手段２９により、回転ドラム１内の洗濯物の量を所定量以上と検知したとき、洗剤溶解行程における回転ドラム１の回転数を少なくとも所定量の回転数より上げるようにしている。他の構成は上記実施例８と同じである。
【００５１】
上記構成において動作を説明する。制御手段３１は、洗剤溶解行程において、布量検知手段２９により回転ドラム１内の洗濯物の量を所定量Ｃ１（例えば６ｋｇ）以上と検知した場合、回転ドラム１の回転数を所定の回転数Ｓ１（２００ｒ／ｍｉｎ）より上げる（例えば３００ｒ／ｍｉｎ）ように制御する。
【００５２】
これにより、回転ドラム１内に投入された洗濯物の量が多く、均一に洗濯水が含まれにくいときには、回転ドラム１の回転数を所定の回転数Ｓ１より上げることで、洗剤液がより強い遠心力により回転ドラム１と水受け槽３内で対流を起こし、撹拌も強くなるので、より均一に早く洗濯物に洗濯水を含ませることができ、洗浄性能を向上することができるとともに、洗濯時間を短縮することができる。
【００５３】
（実施例１０）
図５に示す制御手段３１は、布量検知手段２９により、回転ドラム１内の洗濯物の量を所定量以下と検知したとき、洗剤溶解行程における回転ドラム１の回転時間を少なくとも所定量の回転時間より短くしている。他の構成は上記実施例８と同じである。
【００５４】
上記構成において動作を説明する。制御手段３１は、洗剤溶解行程において、布量検知手段２９により回転ドラム１内の洗濯物の量を所定量Ｃ２（例えば２ｋｇ）以下と検知した場合、回転ドラム１の回転時間を所定の回転時間Ｔ１より短く（例えば１分）するように制御する。
【００５５】
これにより、回転ドラム１内に投入された洗濯物の量が少なく均一に洗濯水が含まれやすいときには、回転ドラム１の回転時間を所定の回転時間Ｔ１より短くすることで、洗剤液が遠心力により回転ドラム１と水受け槽３内で対流を起こし撹拌される時間も短くなり、必要以上の回転時間を省くことで、洗濯の時間短縮ができる。
【００５６】
【発明の効果】
以上のように本発明の請求項１に記載の発明によれば、洗濯機本体に弾性的に支持した水受け槽と、前記水受け槽に内包し回転自在に配設した回転ドラムと、前記回転ドラムを駆動するモータと、前記水受け槽内に給水する給水手段と、前記水受け槽内の給水水位を検知する水位検知手段と、前記モータの動作を制御し洗濯、すすぎ、脱水、乾燥の一連の行程を逐次制御する制御手段とを備え、前記制御手段は、洗濯行程にて、前記給水手段を制御して前記水受け槽内に前記水位検知手段が第１の所定水位を検知するまで給水する給水行程を有し、前記給水行程において、前記水位検知手段により前記第１の所定水位より低い第２の所定水位を検知すると、前記回転ドラムを、洗濯物が前記回転ドラムの内壁に張り付く程度の所定の回転数で所定時間回転させる洗剤溶解行程を行うようにしたから、洗剤液が遠心力により回転ドラムと水受け槽内で対流を起こし撹拌され、洗剤を早く溶解することができる。加えて、洗濯液が洗濯物全体に回るため、洗濯水を早く均一に含ませることができ、洗浄性能を向上できるとともに、洗濯時間を短縮することができる。
【００５７】
また、請求項２に記載の発明によれば、回転ドラム内の水温を検知する水温検知手段を備え、前記制御手段は、洗剤溶解行程において、前記水温検知手段により、前記回転ドラム内の水温が第１の所定水温以下であると検知したとき、前記回転ドラムの回転時間を少なくとも前記回転ドラム内の水温が前記第１の所定水温より高いときの回転時間より長くするように構成したから、回転ドラム内の水温が低く洗剤が溶解しにくいときには、回転ドラムの回転時間を回転ドラム内の水温が高いときの回転時間より長くするため、洗剤液が遠心力により回転ドラムと水受け槽内で対流を起こし撹拌される時間も長くなり、洗剤を十分に溶解することができ、洗浄性能を向上することができる。
【００５８】
また、請求項３に記載の発明によれば、回転ドラム内の水温を検知する水温検知手段を備え、前記制御手段は、洗剤溶解行程において、前記水温検知手段により、前記回転ドラム内の水温が第１の所定水温以下であると検知したとき、前記回転ドラムの回転数を少なくとも前記回転ドラム内の水温が前記第１の所定水温より高いときの回転数より上げるように構成したから、回転ドラム内の水温が低く洗剤が溶解しにくいときには、回転ドラムの回転数を水温が高いときの回転数より上げるため、洗剤液がより強い遠心力により回転ドラムと水受け槽内で対流を起こし、撹拌も強くなり、よりよく洗剤を溶解することができ、洗浄性能を向上できるとともに、洗濯時間を短縮することができる。
【００５９】
また、請求項４に記載の発明によれば、回転ドラム内の水温を検知する水温検知手段を備え、前記制御手段は、洗剤溶解行程において、前記水温検知手段により、前記回転ドラム内の水温が第２の所定水温以上であると検知したとき、前記回転ドラムの回転時間を少なくとも前記回転ドラム内の水温が前記第２の所定水温より低いときの回転時間より短くするように構成したから、回転ドラム内の水温が高く洗剤が溶解しやすいときには、回転ドラムの回転時間を水温が低いときの回転時間より短くするため、洗剤液が遠心力により回転ドラムと水受け槽内に対流が起こり撹拌する時間も短くなり、洗剤の泡立ち過ぎを防ぐとともに、必要以上の回転時間を省くことで洗濯の時間短縮ができる。
【００６０】
また、請求項５に記載の発明によれば、回転ドラム内に投入する洗剤量を検知する洗剤量検知手段を備え、前記制御手段は、洗剤溶解行程において、前記洗剤量検知手段により、洗剤量が第１の所定量以上であると検知したとき、前記回転ドラムの回転時間を少なくとも前記洗剤量が前記第１の所定量より少ないときの回転時間より長くするように構成したから、回転ドラム内に投入された洗剤量が多く洗剤が溶解しにくいときには、回転ドラムの回転時間を洗剤量が少ないときの回転時間より長くするため、洗剤液が遠心力により回転ドラムと水受け槽内で対流を起こし撹拌される時間も長くなり、よりよく洗剤を溶解することができ、洗浄性能を向上できるとともに、洗濯時間を短縮することができる。
【００６１】
また、請求項６に記載の発明によれば、回転ドラム内に投入する洗剤量を検知する洗剤量検知手段を備え、前記制御手段は、洗剤溶解行程において、前記洗剤量検知手段により、洗剤量が第１の所定量以上であると検知したとき、前記回転ドラムの回転数を少なくとも前記洗剤量が前記第１の所定量より少ないときの回転数より上げるように構成したから、回転ドラム内に投入された洗剤量が多く洗剤が溶解しにくいときには、回転ドラムの回転数を洗剤量が少ないときの回転数より上げるため、洗剤液がより強い遠心力により回転ドラムと水受け槽内で対流を起こし、撹拌も強くなるので、よりよく洗剤を溶解することができ、洗浄性能を向上できるとともに、洗濯時間を短縮することができる。
【００６２】
また、請求項７に記載の発明によれば、回転ドラム内に投入する洗剤量を検知する洗剤量検知手段を備え、前記制御手段は、洗剤溶解行程において、前記洗剤量検知手段により、洗剤量が第２の所定量以下であると検知したとき、前記回転ドラムの回転時間を少なくとも前記洗剤量が前記第２の所定量より多いときの回転時間より短くしたから、回転ドラム内に投入された洗剤量が少なく洗剤が溶解しやすいときには、回転ドラムの回転時間を洗剤量が多いときの回転時間より短くするため、必要以上の回転時間を省くことで、洗濯の時間短縮ができる。
【００６３】
また、請求項８に記載の発明によれば、回転ドラム内の洗濯物の量を検知する布量検知手段を備え、前記制御手段は、洗剤溶解行程において、前記布量検知手段により、前記回転ドラム内の洗濯物の量が第１の所定量以上であると検知したとき、前記回転ドラムの回転時間を少なくとも前記洗濯物の量が前記第１の所定量より少ないときの回転時間より長くしたから、回転ドラム内に投入された洗濯物の量が多く均一に洗濯水が含まれにくいときには、回転ドラムの回転時間を洗濯物の量が少ないときの回転時間より長くするため、洗剤液が遠心力により回転ドラムと水受け槽内で対流を起こし撹拌される時間も長くなり、より均一に洗剤液が洗濯物に含まれることができ、洗浄性能を向上することができる。
【００６４】
また、請求項９に記載の発明によれば、回転ドラム内の洗濯物の量を検知する布量検知手段を備え、前記制御手段は、洗剤溶解行程において、前記布量検知手段により、前記回転ドラム内の洗濯物の量が第１の所定量以上であると検知したとき、前記回転ドラムの回転数を少なくとも前記洗濯物の量が前記第１の所定量より少ないときの回転数より上げるようにしたから、回転ドラム内に投入された洗濯物の量が多く均一に洗濯水が含まれにくいときには、回転ドラムの回転数を洗濯物の量が少ないときの回転数より上げるため、洗剤液がより強い遠心力により回転ドラムと水受け槽内で対流を起こし、撹拌も強くなるので、より均一に早く洗濯物に洗濯水を含ませることができ、洗浄性能を向上できるとともに、洗濯時間を短縮することができる。
【００６５】
また、請求項１０に記載の発明によれば、回転ドラム内の洗濯物の量を検知する布量検知手段を備え、前記制御手段は、洗剤溶解行程において、前記布量検知手段により、前記回転ドラム内の洗濯物の量が第２の所定量以下であると検知したとき、前記回転ドラムの回転時間を少なくとも前記洗濯物の量が前記第２の所定量より多いときの回転時間より短くしたから、回転ドラム内に投入された洗濯物の量が少なく均一に洗濯水が含まれやすいときには、回転ドラムの回転時間を洗濯物の量が多いときの回転時間より短くさせるため、洗剤液が遠心力により回転ドラムと水受け槽内で対流を起こし撹拌される時間も短くなり、必要以上の回転時間を省くことで、洗濯の時間短縮ができる。
【図面の簡単な説明】
【図１】  本発明の第１の実施例のドラム式洗濯機のブロック回路図
【図２】  同ドラム式洗濯機の断面図
【図３】  本発明の第２の実施例のドラム式洗濯機のブロック回路図
【図４】  本発明の第５の実施例のドラム式洗濯機のブロック回路図
【図５】  本発明の第８の実施例のドラム式洗濯機のブロック回路図
【図６】  従来のドラム式洗濯機の断面図
【図７】  同ドラム式洗濯機のブロック回路図
【符号の説明】
１  回転ドラム
３  水受け槽
５  モータ
７  洗濯機本体
１１  給水弁（給水手段）
１２  水位検知手段
２２  制御手段
【図１】
0003812495.tif 000002
【図２】
0003812495.tif 000003
【図３】
0003812495.tif 000004
【図４】
0003812495.tif 000005
【図５】
0003812495.tif 000006
【図６】
0003812495.tif 000007
【図７】
0003812495.tif 000008